(57)【要約】【課題】箪笥の引戸が、透気性を有するだけでなく、実装が容易で、脱離し難く、また、透気板が、軽量で、かつ、多数の実装変化ができる。組み立て式箪笥を提供する。【解決手段】主として、箪笥本体と少なくとも２枚の引戸が備えられる箪笥であって、箪笥本体が、左右の側板と、頂板と、その内部に組み立てられた若干のトラス棒と、上下のスライドレールとから構成され、それらの引戸が、フレームに組み立てられた若干の透気板から構成され、また、フレームの上フレーム縁に、二つの弾性抵当柱が設けられ、フレームの下フレーム縁に二つの滑車が設けられる。【選択図】図２
0003147957.tif 000002
【実用新案登録請求の範囲】
【請求項１】
主として、箪笥本体と少なくとも２枚の引戸が備えられる箪笥であって、箪笥本体が、左右の側板と、頂板と、その内部に組み立てられた若干のトラス棒と、上下のスライドレールとから構成され、それらの引戸が、フレームに組み立てられた若干の透気板から構成され、また、フレームの上フレーム縁に、二つの弾性抵当柱が設けられ、フレームの下フレーム縁に二つの滑車が設けられる、  
ことを特徴とする組み立て式箪笥。
【請求項２】
上記フレームが、細長な矩形状で、その上下フレームの内縁面に、それぞれ、二つの係止穴が、設けられることを特徴とする請求項１に記載の組み立て式箪笥。
【請求項３】
それらの透気板が、プラスチックで一体射出成型され、内部に若干の傾斜して離間に区画シートが配列される矩形状枠体であり、その左右両側のフレームの外縁に、抵当縁が伸び、その左右両側のフレーム内縁の上下において、適当な位置に、二つの内へホック状に突出する係止ブロックが設けられることを特徴とする請求項１に記載の組み立て式箪笥。
【請求項４】
それらの透気板の上下フレーム縁に、それぞれ、互いに接合できるほぞとほぞ穴が形成されることを特徴とする請求項１か３に記載の組み立て式箪笥。
【考案の詳細な説明】
【技術分野】
【０００１】
本考案は、箪笥構造に関し、特に、ＤＩＹによる箪笥構造に関する。
【背景技術】
【０００２】
一般のＤＩＹ方式の箪笥構造は、例えば、複数の横縦棒を互いに接続してフレームに組み立ててから、上端に蓋板を覆い、また、その外部に、布カバーを被せ、また、上端の正面棒に、引き開き可能の暖簾が掛けられることにより、箪笥構造が形成される。しかしながら、上記の箪笥構造は、直接に外部から布カバーを被せる設計であるため、その質感が悪く、その透気性が、前方の布カバーや暖簾により実現され、閉じる状態では、空気が、順調に流通できず、内部に格納される衣服によくなく、そのため、関係業者により、箪笥戸として、ベネチャンブラインド式カーテンや折り畳み式引戸を採用する構造が提案され、それにより、箪笥内の空気流通や箪笥の質感が向上されるが、ベネチャンブラインド式カーテンは、よく絡み合って操作が不便であり、また、折り畳み式引戸は、閉じられると、封止の状態になり、箪笥内部において、空気の流通が悪くなる。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、箪笥本体と少なくとも２枚の引戸とからなる箪笥であって、それらの引戸が、フレームに組み立てられた若干の一体射出成型された透気板からなり、これにより、箪笥の引戸が、透気性を有するだけでなく、実装が容易で、脱離し難く、また、透気板が、軽量で、かつ、多数の実装変化ができ、有効に、市場の競争力が向上される組み立て式箪笥を提供する。
【課題を解決するための手段】
【０００５】
請求項１の考案は、主として、箪笥本体と少なくとも２枚の引戸が備えられる箪笥であって、箪笥本体が、左右の側板と、頂板と、その内部に組み立てられた若干のトラス棒と、上下のスライドレールとから構成され、それらの引戸が、フレームに組み立てられた若干の透気板から構成され、また、フレームの上フレーム縁に、二つの弾性抵当柱が設けられ、フレームの下フレーム縁に二つの滑車が設けられることを特徴とする組み立て式箪笥である。
【０００６】
請求項２の考案は、上記フレームが、細長な矩形状で、その上下フレームの内縁面に、それぞれ、二つの係止穴が、設けられることを特徴とする請求項１に記載の組み立て式箪笥である。
【０００７】
請求項３の考案は、それらの透気板が、プラスチックで一体射出成型され、内部に若干傾斜して離間に区画シートが配列される矩形状枠体であり、その左右両側のフレームの外縁に、抵当縁が伸び、その左右両側のフレーム内縁の上下において、適当な位置に、二つの内へホック状に突出する係止ブロックが設けられることを特徴とする請求項１に記載の組み立て式箪笥である。
【０００８】
請求項４の考案は、それらの透気板の上下フレーム縁に、それぞれ、互いに接合できるほぞとほぞ穴が形成されることを特徴とする請求項１か３に記載の組み立て式箪笥である。
【０００９】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１０】
図１〜図６のように、本考案は、組み立て式箪笥を提供し、上記箪笥は、主として、箪笥本体２０と少なくとも２枚の引戸３０が備えられ、箪笥本体２０が、左右の側板２１、２２と、頂板２３と、その内部に組み立てられた若干のトラス棒２４と、上下スライドレール２５、２６とから構成され、上記の上下スライドレール２５、２６は、箪笥本体２０の前縁の上下に引戸３０が組み立てられるように、設けられ、それらの引戸３０は、フレーム３１と、若干の透気板３２から構成され、フレーム３１は、細長な矩形状で、その上下フレームの内縁面に、それぞれ、二つの係止穴３１０が、設けられ、また、本実施例において、上記細長な矩形状のフレーム３１の中段に、更に、強化のため、横方向に補助棒３１１が設けられ、上記横方向補助棒３１１の下方の内縁面にも、二つの係止穴３１０が設けられ、また、フレーム３１の上フレームの外縁面に、二つの弾性抵当柱３１２が設けられ、下フレームの外縁面に、二つの滑車３１３が設けられ、それらの透気板３２は、プラスチックで一体射出成型され、上下に接続して配列されるように、フレーム３１内に実装され、内部に、間隔を置いて、若干の区画シート３２０が傾斜状に配列された矩形状枠体でありながら、その左右両側のフレームの外縁に、抵当縁３２１が伸び、その左右両側のフレーム内縁の上下において、適当な位置に、二つの内へホック状に突出する係止ブロック３２２が設けられ、また、それらの透気板３２の上下フレーム縁に、それぞれ、互いに接合可能のほぞ３２３とほぞ穴３２４が形成され、また、各上記透気板３２は、左右両側フレーム縁にあるホック状係止ブロック３２２で、フレーム３１と嵌合して結合するだけでなく、上下フレーム縁にあるほぞ３２３とほぞ穴３２４により互いに結合される。
【００１１】
本考案によれば、箪笥を利用する場合、その箪笥本体２０の裏側に、不織布の方式で、布カバー４０を箪笥本体２０の左右側板２１、２２と頂板２３の後端辺に貼り付くことにより、外して清浄することが便利になる。
【００１２】
以上の説明から分るように、本考案によれば、以下の利点が得られ、
１、透気がよい：本考案に係る箪笥は、引戸３０が、フレーム３１内に若干の一体射出成型された透気板３２から構成されるため、箪笥の内部に収納された衣物に必要な透気が提供でき、また、空気流通を維持できて、カビ汚れ現象を防止できることと、
２、実装が容易で、脱離し難い：本考案に係る引戸３０は、フレーム３１に実装され、若干の一体射出成型された透気板３２から構成され、透気板３２が、フレームに嵌設され、また、左右両側に、抵当縁３２１と、ホック状係止ブロック３２２が設けられ、そして、各上記透気板３２の間において、ほぞ３２３とほぞ穴３２４により接合されるため、実装が容易で、脱離し難い。
３、引戸の透気板が、軽量で、多様なカラーに変化できる：本考案に係る透気板３２は、プラスチックで一体射出成型されるため、軽量で、多様なカラーに実装することができる。
４、引戸の透気板を交換でき：本考案に係る透気板３２は、フレーム３１内に組み立てられるため、メンテナンスに有利である。
【００１３】
以上のように、本考案に係る組み立て式箪笥は、透気性を有する箪笥の引戸を提供するだけでなく、実装が容易で、脱離し難く、透気板が軽量で、多様なカラーに実装変化ができ、有効に、市場の競争力が向上される。そのため、本考案は、より進歩的かつより実用的で、法に従って実用新案登録請求を出願する。
【００１４】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１５】
【図１】本考案の立体図
【図２】本考案に係る引戸を開く時の立体概念図
【図３】本考案に係る引戸の立体分解概念図
【図４】本考案に係る引戸の一部の立体分解図
【図５】本考案の引戸と箪笥本体の上方の一部の実装概念図
【図６】本考案の引戸と箪笥本体の下方の一部の実装概念図
【符号の説明】
【００１６】
２０    箪笥本体
２１    左側板
２２    右側板
２３    頂板
２４    トラス棒
２５    上スライドレール
２６    下スライドレール
３０    引戸
３１    フレーム
３１０  係止穴
３１１  横方向補助棒
３１２  弾性抵当柱
３１３  滑車
３２    透気板
３２０  区画シート
３２１  抵当縁
３２２  係止ブロック
３２３  ほぞ
３２４  ほぞ穴
４０    布カバー
【図１】
0003147957.tif 000003
【図２】
0003147957.tif 000004
【図３】
0003147957.tif 000005
【図４】
0003147957.tif 000006
【図５】
0003147957.tif 000007
【図６】
0003147957.tif 000008